(57)【要約】【課題】  情報カードに対し、データの読み書きや、印刷、マーキング等の所定の処理を、高精度に行う。【解決手段】  引き込んだ情報カードｃに対する処理を行う情報カード搬送処理装置において、情報カードｃを引き込む搬送ローラ１０と、搬送ローラ１０に回転力を付与するように接続された回転駆動源２１と、搬送ローラ１０に引き込まれ接触している情報カードｃの前端に当接される被当接部５１と、情報カードｃと被当接部５１との当接により搬送ローラ１０の回転負荷が所定値以上になった場合に回転駆動源２１の回転力を遮断するトルクリミッタ３０と、被当接部５１に当接した情報カードｃに対し前記処理を施す処理部６０とを備えた。【選択図】  図１
2015197753.tif 000002
【特許請求の範囲】
【請求項１】
引き込んだ情報カードに対する処理を行う情報カード搬送処理装置において、
情報カードを引き込む搬送ローラと、前記搬送ローラに回転力を付与するように接続された回転駆動源と、前記搬送ローラに引き込まれ接触している情報カードの前端に当接される被当接部と、情報カードと前記被当接部との当接により前記搬送ローラの回転負荷が所定値以上になった場合に前記回転駆動源の回転力を遮断するトルクリミッタと、前記被当接部に当接した情報カードに対し前記処理を施す処理部とを備えたことを特徴とする情報カード搬送処理装置。
【請求項２】
引き込まれた情報カードを、厚み方向の一方側から受ける受板を設けるとともに、その他方側に、前記処理部を配置し、
前記処理部は、情報カードの前記他方側の面に対し接離するように移動可能に支持された押圧部と、前記押圧部を押圧方向および離隔方向へ駆動する押圧部駆動装置とを具備することを特徴とする請求項１記載の情報カード搬送処理装置。
【請求項３】
前記押圧部駆動装置は、回動可能に支持されるとともに一端側に前記押圧部を固定したリンク部材と、前記リンク部材を前記押圧方向へ付勢する付勢部材と、前記リンク部材を前記付勢部材の付勢力に抗して前記離隔方向へ駆動する押圧解除駆動源とを具備していることを特徴とする請求項２記載の情報カード搬送処理装置。
【請求項４】
前記情報カードは、前記他方側の面に情報入出力端子を有する接触式ＩＣカードであり、前記処理部には、前記押圧部に有する端子を前記情報入出力端子に接続して情報を読み込み及び／又は書き込みする接触式リーダライタが設けられていることを特徴とする請求項３記載の情報カード搬送処理装置。
【請求項５】
請求項１乃至４何れか１項記載の情報カード搬送処理装置を具備した情報カード用レーザー印刷システム。
【発明の詳細な説明】
【技術分野】
【０００１】
本発明は、ＩＣカードや磁気カード等の情報カードに対し、データの読み書きや印刷、マーキング等の所定の処理を施すようにした情報カード搬送処理装置、及び該情報カード搬送処理装置を用いた情報カード用レーザー印刷システムに関するものである。
【背景技術】
【０００２】
従来、この種の発明には、例えば特許文献１に記載されるように、挿入口（１ａ）から挿入される情報カード（カード４）を搬送する搬送ローラ（９）と、この搬送ローラを駆動回転する駆動源（モータ１０）と、情報カード（カード４）の情報を読み取る磁気ヘッド（８）とを備え、挿入口から挿入される情報カード（カード４）を搬送ローラ（９）により搬送経路の奥側まで搬送して停止し、この情報カード（カード４）に対し磁気ヘッド（８）を近接させてカード内の情報を読み取る処理を行うようにしたカードリーダがある。
【０００３】
このような従来の情報カード搬送処理装置では、搬送した情報カードを、正確に所定の処理を施す位置（例えば読み取り位置等）に停止させることが要求される。特に、情報カードが接触式のＩＣカードとし、該ＩＣカードの情報入出力端子に、リーダライタの端子を電気的に接続して情報を読み書きする構成とした場合には、情報カードを所定位置に高精度に停止させる必要があり、仮に、前記情報入力端子と前記端子との位置ずれが生じた場合には、接点不良等により情報の読み書きが行えないおそれがある。
また、前記処理として、情報カードの表面に印刷やマーキングを施す装置を構成した場合にも、前記同様の原因により、印刷位置やマーキング位置のずれを生じ、情報カードの品質低下を招くおそれがある。
そのため、搬送のための駆動源として、ステッピングモータを用いる場合もあるが、コスト面では好ましくない。
【先行技術文献】
【特許文献】
【０００４】
【特許文献１】特開２００７−４７８８０号公報
【発明の概要】
【発明が解決しようとする課題】
【０００５】
本発明は上記従来事情に鑑みてなされたものであり、その課題とする処は、情報カードに対し、データの読み書きや、印刷、マーキング等の所定の処理を、高精度に行うことができる情報カード搬送処理装置及び該情報カード搬送処理装置を用いた情報カード用レーザー印刷システムを提供することにある。
【課題を解決するための手段】
【０００６】
上記課題を解決するための一手段は、引き込んだ情報カードに対する処理を行う情報カード搬送処理装置において、情報カードを引き込む搬送ローラと、前記搬送ローラに回転力を付与するように接続された回転駆動源と、前記搬送ローラに引き込まれ接触している情報カードの前端に当接される被当接部と、情報カードと前記被当接部との当接により前記搬送ローラの回転負荷が所定値以上になった場合に前記回転駆動源の回転力を遮断するトルクリミッタと、前記被当接部に当接した情報カードに対し前記処理を施す処理部とを備えた。
ここで、前記「処理」とは、前記情報カードに対するあらゆる処理を意味し、この処理には、例えば、情報カードに対するデータの読み込み及び／又は書き込みや、情報カードに対する印字処理、情報カードを撮像する処理、これら複数種類の処理を同時又は順番に行う処理等を含む。
この手段によれば、引き込まれる情報カードが被当接部に当接して搬送ローラの回転負荷が所定値以上になると、トルクリミッタの回転力が遮断される。したがって、情報カードは、被当接部に当接した位置で、搬送ローラからの搬送力を受けることなく停止する。そして、被当接部との当接により位置決めされた情報カードに対し、例えば、情報の読み書き等の処理が施される。よって、情報カードに対し高精度な処理を施すことができる。
【０００７】
さらなる手段では、引き込まれた情報カードを、厚み方向の一方側から受ける受板を設けるとともに、その他方側に、前記処理部を配置し、前記処理部は、情報カードの前記他方側の面に対し接離するように移動可能に支持された押圧部と、前記押圧部を押圧方向および離隔方向へ駆動する押圧部駆動装置とを具備する。
この手段によれば、引き込まれて停止した情報カードを受板と押圧部との間に挟むことができ、ひいては、情報カードの撓みを矯正して、情報カードに対し、より高精度な処理を施すことができる。
【０００８】
さらなる手段では、より好ましい態様として、前記押圧部駆動装置は、回動可能に支持されるとともに一端側に前記押圧部を固定したリンク部材と、前記リンク部材を前記押圧方向へ付勢する付勢部材と、前記リンク部材を前記付勢部材の付勢力に抗して前記離隔方向へ駆動する押圧解除駆動源とを具備している。
【０００９】
さらなる手段では、より好ましい態様として、前記情報カードは、前記他方側の面に情報入出力端子を有する接触式ＩＣカードであり、前記処理部には、前記押圧部に有する端子を前記情報入出力端子に接続して情報を読み込み及び／又は書き込みする接触式リーダライタが設けられている。
この手段によれば、特に、情報カードの情報入力端子と、押圧部の端子との位置ずれによる接触不良等を軽減することができる。
【００１０】
さらなる手段では、具体的に好ましい態様として、上記情報カード搬送処理装置を具備して情報カード用レーザー印刷システムを構成する。
【発明の効果】
【００１１】
本発明は、以上説明したように構成されているので、情報カードに対し、データの読み書きや、印刷、マーキング等の所定の処理を、高精度に行うことができる。
【図面の簡単な説明】
【００１２】
【図１】本発明に係る情報カード搬送処理装置の一例を示す斜視図である。
【図２】同情報カード搬送処理装置の正面図である。
【図３】図２の（III）−（III）線に沿う断面図である。
【図４】図３の要部拡大図である。
【図５】同情報カード搬送処理装置の上面図であり、（ａ）は押圧部を情報カードから離隔した状態を示し、（ｂ）は押圧部を情報カードに押し付けた状態を示す。
【図６】同情報カード搬送処理装置を用いた情報カード用レーザー印刷システムの一例を示す正面図である。
【発明を実施するための形態】
【００１３】
次に、本発明に係る情報カード搬送処理装置の実施の一形態について、図面に基づいて詳細に説明する。
【００１４】
図１に示す情報カード搬送処理装置Ａは、情報カードｃを引き込む搬送ローラ１０と、搬送ローラ１０に動力伝達機構２２を介して回転力を付与する回転駆動源２１と、搬送ローラ１０の回転負荷が所定値以上になった場合に回転駆動源２１の回転力を遮断するトルクリミッタ３０と、搬送ローラ１０により引き込まれる情報カードｃを奥側へ案内するカードガイド４０と、搬送ローラ１０に引き込まれ接触している情報カードｃの前端に被当接部５１を当接させる規制部材５０と、被当接部５１に当接した情報カードｃに対し所定の処理を施す処理部６０とを、基台１に支持している。
【００１５】
本実施の形態で扱われる情報カードｃの一例は、接触式のＩＣカードであり、その表面又は裏面に、データを読み込み及び／又は書き込みするための情報入出力端子ｃ１を有する。
【００１６】
基台１は、図示例によれば、曲げ加工された複数の板金材料を接合することで正面視略逆さ凹状に構成される（図２参照）。この基台１の他例としては、単数の板金材料を曲げ加工してなる態様や、図示例以外の形状に構成した態様とすることが可能である。
そして、この基台１の上面には、上方へ突出するように略矩形状の支持板２が固定される。
【００１７】
また、搬送ローラ１０は、図３に示すように、回転駆動源２１の回転力により回転する駆動ローラ１１と、該駆動ローラ１１に近接して略平行に設けられた従動ローラ１２とを一対に具備している。
駆動ローラ１１は、軸部材１１ａの外周部に固定され、軸部材１１ａは基台１に対しベアリング等を介して回転自在に支持される。
また、従動ローラ１２は、軸部材１２ａおよびベアリング（図示せず）等を介して基台１に対し回転自在に支持される。
そして、これら一対のローラ１１，１２は、双方の外周面の間に情報カードｃを挟み込んで搬送するように、適宜な間隔で配置される。
【００１８】
回転駆動源２１は、図指例によれば、直流回転式電動機であり、その出力軸にウォームギアを固定している。この回転駆動源２１は、図示しないブラケットを介して基台１に支持される。なお、他例としては、この回転駆動源２１として、交流回転式電動機や、エアーモータ、油圧モータ等を適用することも可能である。
【００１９】
動力伝達機構２２は、前記ウォームギア及び複数の歯車を噛み合わせてなり、回転駆動源２１の回転を適宜な速度およびトルクに調整して伝達する。
【００２０】
また、トルクリミッタ３０は、入力側回転体と出力側回転体との接続状態を、前記出力側回転体の回転負荷が所定値以上になった場合に切断して前記入力側回転体を空転させ、前記入力側回転体の回転が前記所定値を下回った場合に前記接続状態を自動復帰する装置である。このトルクリミッタ３０は、前記機能を有するものであれば、周知の機構を用いることが可能である。
そして、このトルクリミッタ３０は、前記入力側回転体に、動力伝達機構２２の出力側歯車の回転力を入力し、前記出力側回転体の回転力を駆動ローラ１１へ伝達するように、動力伝達機構２２と駆動ローラ１１（詳細には、軸部材１１ａ）との間に接続される。
【００２１】
カードガイド４０は、搬送ローラ１０から引き込まれる情報カードｃを、その引き込み方向へ導く部材であり、図示例によれば、基台１の上面側に、支持板２を介して略垂直状に固定されている。
このカードガイド４０は、引き込まれて搬送される情報カードｃを、厚み方向の一方側から受ける受板４１（図３参照）と、受板４１の両側で情報カードｃの両縁を搬送方向へ案内するガイドレール４２，４２とを具備している。
【００２２】
受板４１は、図３に示すように、後述する押圧部６１に対向して配置される。この受板４１には、押圧部６１の端子６１ａに対向する位置に、凹欠部４１ａ（図３参照）が形成される。
この凹欠部４１ａは、受板４１と端子６１ａとの間に隙間ｓを確保している。この隙間ｓは、後述する押圧部駆動装置６２の誤動作等に起因して、端子６１ａが受板４１に当接し破損してしまうようなことを防ぐ。
また、ガイドレール４２，４２の各々は、搬送ローラ１０と後述する被当接部５１との間にわたって連続しており、情報カードｃの側縁部を凹状（もしくはコ字状）に囲んで搬送方向へ案内する。
【００２３】
また、規制部材５０は、ガイドレール４２，４２における搬送方向の前端側に固定されている。この規制部材５０は、搬送ローラ１０に引き込まれた情報カードｃを所定位置で受ける板状の被当接部５１を有する。
被当接部５１は、図５に示すように、情報カードｃの引き込み方向側から視て略凹状に形成され、その左右両側の各部分により、情報カードｃの前端縁を受ける。
この被当接部５１は、図３及び図４に示すように、搬送ローラ１０に引き込まれた情報カードｃが、搬送ローラ１０に接触した状態（詳細には駆動ローラ１１と従動ローラ１２に挟まれた状態）のまま所定の処理位置になった際に、この情報カードｃの前端縁を前方側から受けるように、そのカード搬送方向（図示例によれば上下方向）の位置が設定されている。
【００２４】
また、処理部６０は、情報カードｃの情報入出力端子ｃ１側の面に対し接離（換言すれば、押し付けられたり離隔したり）するように移動可能に支持された押圧部６１と、押圧部６１を押圧方向および離隔方向へ駆動する押圧部駆動装置６２と、押圧部６１の端子６１ａに電気的に接続された制御部（図示せず）と、これら押圧部６１と押圧部駆動装置６２とを着脱可能に接続するブラケット６３とを具備する。
【００２５】
押圧部６１は、受板４１に対向する略板状に形成され、端子６１ａを情報カードｃに接触させて情報の読み込み及び／又は書き込みする接触式ＩＣカード用リーダライタを構成している。端子６１ａは、引き込まれた情報カードｃの情報入出力端子ｃ１に電気的に接触するように、受板４１側へ突出している。接触式ＩＣカード用リーダライタは、マイコン及び記憶装置等を具備した周知のものを用いればよい。
【００２６】
押圧部駆動装置６２は、基台１に対し回動可能に支持されるとともに一端側にブラケット等を介して前記押圧部６１を固定した複数のリンク部材６２ａ，６２ｂと、リンク部材６２ａ，６２ｂを前記押圧方向（図５によれば上方向）へ付勢する付勢部材６２ｃと、押圧部駆動装置６２を付勢部材６２ｃの付勢力に抗して前記離隔方向（図５によれば下方向）へ駆動する押圧解除駆動源６２ｄとを具備している。
【００２７】
リンク部材６２ａ，６２ｂの各々は、図１に例示するように、複数の板状部材および軸状部材等を枠状に接続してなる。
一方のリンク部材６２ａは、カード搬送方向に対し直交し、且つ情報カードｃの表面に平行する長尺状に形成され、その長さ方向の中途部分が、軸部材６２ａ１を介して基台１に対し回転自在に支持される。図１中の符号６２ａ２，６２ａ３は、基台１側の長穴に嵌り合ってリンク部材６２ａの回動量を規制する軸部材である。
他方のリンク部材６２ｂは、リンク部材６２ａの反駆動源側（図５によれば左側）に、水平方向へ回動するように支持される。このリンク部材６２ｂは、受板４１に対向する部分にブラケット６３等介して押圧部６１を固定している。なお、図１中の符号６２ｂ１は、リンク部材６２ｂを回動させるための軸部材である。
【００２８】
また、付勢部材６２ｃは、圧縮コイルバネであり、その一端側を、ブラケット等を介して基台１に固定するとともに、他端側によりリンク部材６２ａを弾発する。
なお、この付勢部材６２ｃは、他方側からリンク部材６２ａを引っ張るようにした引張コイルバネや、軸部材６２ａ２に環装されたねじりコイルバネ等、他の態様の付勢部材に置換することが可能である。
【００２９】
押圧解除駆動源６２ｄは、コイルに通電された際に、磁気力によりプランジャ６２ｄ１を後退させるようにした直進駆動装置（例えば、ソレノイド等）であり、前記プランジャ６２ｄ１をリンク部材６２ａの回転支点（軸部材６２ａ１）よりも駆動源側に接続している。
【００３０】
また、ブラケット６３は、押圧部駆動装置６２のリンク部材６２ｂに固定されるとともに、押圧部６１を着脱可能に支持する部材であり、図示例によれば、側端部に補強のための曲げ部分を有する略板状に形成される。このブラケット６３と押圧部６１を着脱可能にする構成は、例えば、ネジ止めや、嵌合等とすることができる。
このブラケット６３によれば、押圧部６１の着脱交換やメンテナンス等を容易に行うことができる。
【００３１】
また、上記構成の情報カード搬送処理装置Ａは、図示しない制御部により、回転駆動源２１及び押圧解除駆動源６２ｄ等を制御している。
前記制御部は、記憶装置に記憶されたプログラムによりＣＰＵを機能させるようにしたマイコン等でありであり、図示しない操作スイッチやセンサ、上記リーダライタ（押圧部６１）等の信号に応じて、回転駆動源２１及び押圧解除駆動源６２ｄを制御したり、情報カードｃに対するデータの入出力指令を行ったりする。以下に、前記制御部による制御動作について詳細に説明する。
【００３２】
先ず、当該情報カード搬送処理装置Ａに電源が投入されると、初期状態として、前記制御部は、押圧解除駆動源６２ｄへの通電を行い、押圧部６１を受板４１から引き離した状態（図５参照）に保持する。
【００３３】
次に、搬送ローラ１０（詳細には、駆動ローラ１１と従動ローラ１２の間）に対し、下方側から情報カードｃが挿入されると、この情報カードｃが図示しないセンサ（例えば、リミットスイッチ等の接触式センサや、近接スイッチ等の被接触式センサ）により感知され、この感知信号を受けて、前記制御部は、回転駆動源２１を正方向へ回転する。
【００３４】
すると、回転駆動源２１の回転力が動力伝達機構２２を介して駆動ローラ１１へ伝達されて、駆動ローラ１１が回転し、情報カードｃは駆動ローラ１１と従動ローラ１２の間に引き込まれるようにして搬送される。
【００３５】
搬送された情報カードｃの前端縁が、被当接部５１に突き当たると（図４参照）、この状態で情報カードｃに接触している搬送ローラ１０（詳細には駆動ローラ１１）の回転負荷が上昇する。そして、前記回転負荷が所定値以上に上昇すると、トルクリミッタ３０の作動により、回転駆動源２１側の回転力が遮断される。すなわち、回転駆動源２１の出力軸及び動力伝達機構２２等が空回りして、駆動ローラ１１に回転力が伝達されない状態となる。
【００３６】
次に、前記状態が図示しないセンサにより感知されると、この感知信号に応じて、前記制御部は、押圧解除駆動源６２ｄを非通電状態にする。さらに、前記制御部は、前記感知信号があってから所定時間後に、回転駆動源２１の回転を停止する。
なお、前記センサは、被当接部５１に当接した情報カードｃを接触又は非接触で感知するセンサ（例えば、リミットスイッチや近接スイッチ等）とすればよい。あるいは、トルクリミッタ３０として作動時に信号出力する態様のものを採用すれば、このトルクリミッタ３０の信号出力を、前記センサの感知信号に換えて用いることが可能である。
【００３７】
前記のように押圧解除駆動源６２ｄが非通電状態になると、リンク部材６２ａ，６２ｂが付勢部材６２ｃの付勢力により回動し、これらリンク部材６２ａ，６２ｂ先端側の押圧部６１が、情報カードｃの表面に押し付けられる。したがって、仮に情報カードｃが撓みを生じていた場合であっても、その撓みが押圧部６１の押圧力により矯正される。
そして、押圧部６１の端子６１ａが、情報カードｃの情報入出力端子ｃ１に接触し、情報カードｃに対するデータの読み込み及び／又は書き込みが行われる。
【００３８】
次に、情報カードｃに対する前記処理が完了すると、前記制御部は、押圧解除駆動源６２ｄへ再度通電し、押圧解除駆動源６２ｄの作動によって、押圧部６１の端子６１ａが、情報カードｃの情報入出力端子ｃ１から離される。
【００３９】
この後、前記制御部は、回転駆動源２１を逆方向へ回転させることで、搬送ローラ１０を逆転し、情報カードｃを逆方向（図示例によれば下方）へ送出する。
そして、前記制御部は、情報カードｃの送出を図示しないセンサにより感知すると、その所定時間後に回転駆動源２１を停止する。したがって、情報カード搬送処理装置Ａは、初期状態に戻る。
【００４０】
よって、情報カード搬送処理装置Ａによれば、引き込んだ情報カードｃを、被当接部５１との当接により高精度に位置決めし停止させることができる。その上、前記停止の直後に、情報カードｃを受板４１と押圧部６１との間に挟んで、押圧部６１側の端子６１ａを情報カードｃ側の情報入出力端子ｃ１に接続するようにしているため、仮に情報カードｃが撓んでいた場合でもその撓みを矯正して、端子６１ａと情報入出力端子ｃ１の間の接触状態を良好に維持することができ、ひいては、情報カードｃに対しデータの読み込み及び／又は書き込み等の処理を速やかに行うことができる。
【００４１】
次に、上記構成の情報カード搬送処理装置Ａを適用した情報カード用レーザー印刷システムＸについて説明する。
この情報カード用レーザー印刷システムＸは、情報カードｃを搬送する搬送経路の上流側に設けられた方向変換機構付搬送ローラｘ１と、該方向変換機構付搬送ローラｘ１の下流側に略水平状に設けられたコンベヤ装置ｘ２（図指例によればローラコンベヤ）と、該コンベヤ装置ｘ２上の前後に設けられたプリズム装置ｘ３，ｘ３と、コンベヤ装置ｘ２のの上方に設けられて情報カードｃに対し文字や模様、マーク、バーコード等を印字するレーザ印字装置ｘ４とを備え、方向変換機構付搬送ローラｘ１の上方側に上述した情報カード搬送処理装置Ａを設置している。
【００４２】
この情報カード用レーザー印刷システムＸによれば、上流側から情報カードｃが方向変換機構付搬送ローラｘ１に挿入されると、該方向変換機構付搬送ローラｘ１は、情報カードｃの後端部を上方へ向けるようにして９０度回転し、情報カードｃを上方へ送出する。そして、前記のようにして送出された情報カードｃは、情報カード搬送処理装置Ａの搬送ローラ１０に取り込まれて、上述した情報カード搬送処理装置Ａの動作により所定のデータが読み込み及び／又は書き込みされる。
前記処理を終えた情報カードｃは、方向変換機構付搬送ローラｘ１へ戻される。方向変換機構付搬送ローラｘ１は、さらに９０度回転して、情報カードｃを下流側（図６によれば左側）のコンベヤ装置ｘ２へ受け渡す。そして、コンベヤ装置ｘ２が情報カードｃを所定位置まで搬送して停止すると、印字内容等により選択された一方のプリズム装置ｘ３が、回動して情報カードｃに対し略平行に位置する。そして、レーザ印字装置ｘ４から照射されるレーザー光が、プリズム装置ｘ３に反射されて情報カードｃに照射され、情報カードｃに所定の印字が施される。この後、情報カードｃは、コンベヤ装置ｘ２によって更に下流側へ搬送される。
【００４３】
なお、上記実施の形態よれば、情報カードｃとして接触式ＩＣカードを扱う構成としたが、他例としては、情報カードｃとして、非接触式ＩＣカードや、磁気カード、その他のカードを扱う構成とすることも可能である。
【００４４】
また、上記実施の形態によれば、処理部６０による処理として情報カードｃに対しデータの読み込み及び／又は書き込みを行うようにしたが、処理部６０の他例としては、情報カードｃに対し印字を行う態様や、情報カードｃを撮像する態様、これら複数種類の処理を同時又は順番に行うようにした態様等とすることが可能である。
【００４５】
また、上記実施の形態では、特に好ましい態様として、押圧部６１に端子６１ａを設けたが、他例としては、押圧部６１は情報カードｃを押圧する機能のみを有し、この押圧部分以外の箇所で、情報カードｃに対し所定の処理（例えば、データの読み込み及び／又は書き込みや、印刷、撮像等）を施すようにすることも可能である。
【００４６】
また、上記実施の形態によれば、トルクリミッタ３０を搬送ローラ１０側に設けたが、トルクリミッタ３０は、搬送ローラ１０の回転負荷が所定値以上になった場合に回転駆動源２１の回転力を遮断するように用いればよく、例えば、回転駆動源２１と動力伝達機構２２の間等、回転駆動源２１側に設けることも可能である。
【００４７】
また、上記実施の形態によれば、省スペースな好ましい態様として、リンク部材６２ａ，６２ｂを介して押圧部６１を回動させて情報カードｃに押し付けるようにしたが、他例としては、リンク部材６２ａ，６２ｂを省き、受板４１に対し垂直に対向するように押圧部駆動装置６２を配置するとともに、該押圧部駆動装置６２のプランジャ６２ｄ１に押圧部６１を設けて、この押圧部駆動装置６２の作動によって直接的に押圧部６１を直進運動させて情報カードｃに押し付ける態様とすることも可能である。
【００４８】
また、上記実施の形態によれば、押圧解除駆動源６２ｄとして直進駆動装置（ソレノイド等）を用いたが、押圧解除駆動源６２ｄの他例としては、回転駆動源（例えば、電動モータやエアーモータ、油圧モータ等）によって押圧部６１を回動させる構成とすることも可能である。
【符号の説明】
【００４９】
１０：搬送ローラ
１１：駆動ローラ
１２：従動ローラ
２１：回転駆動源
３０：トルクリミッタ
４０：カードガイド
４１：受板
５０：規制部材
５１：被当接部
６０：処理部
６１：押圧部
６２：押圧部駆動装置
６２ａ，６２ｂ：リンク部材
６２ｃ：付勢部材
６１ａ：端子
６２ｄ：押圧解除駆動源
Ａ：情報カード搬送処理装置
Ｘ：情報カード用レーザー印刷システム
ｃ：情報カード
【図１】
2015197753.tif 000003
【図２】
2015197753.tif 000004
【図３】
2015197753.tif 000005
【図４】
2015197753.tif 000006
【図５】
2015197753.tif 000007
【図６】
2015197753.tif 000008